(57)【要約】      （修正有）【課題】新幹線や第３軌条方式のプラットホームで使用できる感電対策済の高耐圧用ハンド操作棒を提供する。【解決手段】操作される駅員の安全を確実に確保して、挟む・掴む・引っ掛ける等が遠隔操作できて、第３軌条や新幹線プラットホームで安全に使用できる高耐圧用ハンド操作棒であって、当該高耐圧用ハンド操作棒１００は、先端に、物体を挟む・掴む・引っ掛けられやすく湾曲して傾斜した爪６３を左右に設けた。終端のグリップで物体を挟む・掴む左右の爪６３の間隔を調整するレバー保持部９０を設けた。左右の爪６３と、爪保持部６２の下蓋と、上蓋と、内部可動部角棒と、内部が中空な操作棒８０と、レバー部９０と、レバー保持部９１等をＦＲＢで成形加工をした構成である。【選択図】図１
0003162403.tif 000002
【実用新案登録請求の範囲】
【請求項１】
操作される駅員の安全を確実に確保して、挟む・掴む・引っ掛ける等が遠隔操作できて、第３軌条方式や新幹線プラットホームで安全に使用できる高耐圧用ハンド操作棒であって、当該高耐圧用ハンド操作棒（１００）は、先端に、物体を挟む・掴む・引っ掛けられやすく湾曲して傾斜した爪（６３）を左右に設けて、長尺な操作棒（８０）を設けて、終端のグリップで物体を挟む・掴む左右の爪（６３）の間隔を調整するレバー保持部（９０）を設けて、
長尺で内部が中空の操作棒（８０）の先端に固着した先端部（６０）の挟み部（６１）の左右の爪（６３）を保持する爪保持部（６２）を設けて、
爪保持部（６２）は下蓋（６２ａ）と、上蓋（６２ｂ）に２分割され、上蓋（６２ｂ）と、下蓋（６２ａ）が上と下から嵌合するように設けて、上蓋（６２ｂ）と、下蓋（６２ａ）とに内部が中空の操作棒（８０）と嵌合する操作棒端固着部６９を設けて、
下蓋（６２ａ）に左右に設けてある爪（６３）の支点（６４）を嵌めるピン（６５）と、コイルバネ止め（６７）と、中心を爪ＦＲＰ接続部品（７１）の溝（６８）を設けて、上蓋（６２ｂ）に下蓋（６２ａ）と嵌合して対応できるようにピン（６５）の受止部と、コイルバネ止め（６７）と、蓋の中心を爪ＦＲＰ接続部品（７１）の溝（６８）を設けて、
左右の爪（６３）の根元（７５）と、コイルバネ（６６）とを貫通させた爪ＦＲＰ接続部品（７１）に設けた角穴（７３）に挿入して設けて、当該コイルバネ（６６）を貫通させた爪ＦＲＰ接続部品（７１）を下蓋（６２ａ）の溝（６８）に入れ、貫通しているコイルバネ（６６）の先端を左右の爪（６３）の根元（７５）につけてコイルバネ（６６）の後端をコイルバネ止め（６７）に止めて、左右の爪（６３）の支点（６４）をピン（６５）に嵌めて設けて、
左右の爪（６３）の根元（７５）を角穴（７３）に挿入した爪ＦＲＰ接続部品（７１）の一方は内部可動部角棒（７０）と接続固定して、内部可動部角棒（７０）の一方はグリップＦＲＰ接続部品（７２）と接続固定して遠隔操作部（７４）として設けて、
下蓋（６２ａ）に遠隔操作部（７４）の先端の爪ＦＲＰ接続部品（７１）に左右の爪（６３）の根元（７５）と、コイルバネ（６６）とを装着した遠隔操作部（７４）を内部が中空な操作棒（８０）を貫通させて操作棒固着部（６９）に操作棒（８０）の先端を固着して、上蓋（６２ｂ）を下蓋（６２ａ）に嵌合させ固着して爪保持部（６２）を設けて、
当該遠隔操作部（７４）は内部が中空な操作棒（８０）を通過した遠隔操作部（７４）のグリップＦＲＰ接続部品（７２）の終端はレバー接続部（９５）と回動自在となるように接続して設けて、レバー接続部（９５）と支点（９３）とを設けたレバー部（９０）は、レバー保持部（９１）に設けたレバー支点（９２）と支点（９３）とを合せて軸（９４）を貫通させて回動自在となるように接続して設けて、操作棒（８０）の終端にレバー保持部（９１）を固着して設けた構成であることを特徴とする高耐圧用ハンド操作棒。
【請求項２】
上記記載の高耐圧用ハンド操作棒であって、当該高耐圧用ハンド操作棒（１００）は、先端部（６０）の左右の爪（６３）と、爪保持部（６２）の下蓋（６２ａ）と、上蓋（６２ｂ）と、内部可動部角棒（７０）と、内部が中空の操作棒（８０）と、レバー部（９０）と、レバー保持部（９１）等をＦＲＢで成形加工をした構成であることを特徴とする請求項１記載の高耐圧用ハンド操作棒。
【考案の詳細な説明】
【技術分野】
【０００１】  本考案は、第３軌条方式又は、新幹線等のプラットホームから線路内に落とした物体を担当駅員が感電することなく安全に物体を拾い上げることができるマジックハンド操作棒（以下  高耐圧用ハンド操作棒と称する）に関する。
【背景技術】
【０００２】  鉄道線路の帰線の状態が良好であるプラットホームから遠隔操作して物体を拾い上げる用具はあるが、新幹線や第３軌条方式のプラットホームで使用するには感電に対する安全面が危惧されている。【０００３】  線路内に落とした物を挟んで掴むことができ、また、使用者が感電するのを防止する駅のプラットホーム用つかみ具を提供されている。
それは、プラットホーム用つかみ具に設けた操作棒２は、たとえば、絶縁性を有するＦＲＰ製やグラスファイバー製を採用する。操作棒２は、外側パイプ材５と、この外側パイプ材５の内部に設けられる内側パイプ材６とからなる。内側パイプ材６の先端部には直径方向に対向して一対の内側板バネ２４，２４が固定される。一対の内側板バネ２４，２４は内側パイプ材６の先端部から先端方向へ行くに従って互いに離隔すると共に、外側パイプ材５から突出している。各内側板バネ２４の外側には、先端部が内側板バネ２４の先端部に固定され、基端部が外側パイプ５の先端部に固定されて、外側板ばね２５が配置される。外側板バネ２５は、ゴム製のカバー３１で覆われる。各内側板バネ２４の内側には、ゴム製のつかみ部材２６が固定されている（例えば、特許文献１参照）。【０００４】  全長を任意に設定して遠隔操作をスムースに行なえるばかりではなく十分な物体保持力を有する遠隔操作用ハンドを提供され、権利化されている。
それは、遠隔操作用ハンド１０は、遠隔操作用ハンド１０のレバー１３を長手方向にスライドさせると、ワイヤ２９を介して浮動滑車２６が長手方向末端へ移動し、第１及び第２連結板２７，２８を介して第１及び第２操作軸２１，２２が末端方向に引っ張られる。その結果、第１及び第２ハンド部材１７、１８はねじりコイルバネ２３の付勢力に抗して回転し、開放状態になる。なお、ワイヤ２９は、一端が外桿部材１１の固定点３１に固定され、そこから固定滑車２５、浮動滑車２６に掛け渡されて、多端がレバー１３に至るようにピンと張られているため、中桿部材１６が外桿部材１１に対して突出没入してもピンと張られたままであり、常にワイヤ２９を介して両ハンド部材１７，１８の開操作を行なうことができる。効果の欄に、駅ホームなどのように高圧電線のある場所であっても高圧電線から電気ショックを受けるおそれがないと記載されている（例えば、特許文献２参照）。【０００５】  安全で簡易な作業を実現するために、長さの変更が容易に可能であり、ものを挟み掴むことができる遠隔操作棒の提供がされている。
それは、操作棒１の先端部に設けられた挟み部２が、操作棒１の基端部に設けられた操作部３の操作により開閉可能とされてなる遠隔操作棒であって、前記操作棒１は、パイプ状の外側某部材４に内側某部材５が挿入された二重構造の棒部材が伸縮可能とされてなり、前記挟み部２は、物を挟む一対の吸盤３７、３７と、一端部が前記吸盤に接続される一方、他端部が外側棒部材に接続されてなるバネ部材３５と、前記内側棒部材５先端部と吸盤３７を接続し、前記操作部３の操作により内側棒部材５が外側棒部材４に対して後退することで吸盤３７を互いに近接させる連結部材３６とを備える。（例えば、特許文献３参照）。
【先行技術文献】
【特許文献】
【０００６】
【特許文献１】  実登第３１５２６５２号
【特許文献２】  特許第２８８１１４０号
【特許文献３】  特開２００３−１４５４５４
【考案の概要】
【考案が解決しようとする課題】
【０００７】  以上に述べた従来の例えば、特許文献１では、考案されたプラットホーム用つかみ具は、
つかみ部材３は先端の大部分が金属類であること、操作棒２は、外側パイプ材５と、内側パイプ材６等はＦＲＰ製やグラスファイバー製が採用されている。
掴む物体が、例えば小型で大電流容量の電池類が開発されている電池等のように極性を持った物体を挟む、掴む場合に、極性がある物体であることが事前に判明していると対応は取れる。カムフラージュされた小型で大電流容量の電池等得体の知れない物体を掴むとき、つかみ部材３の先端にゴムカバーを覆ってあるが、大部分が金属類で構成しているつかみ部材の金属部分が偶然に物体の両極に接触すること等が危惧される。
また、鉄道線路の帰線の状態が良好であるプラットホームでは使用できでも、つかみ部材３は先端の金属類が第３軌条方式の電線に接触することや、万一のとき高電圧、大電流の流れる新幹線プラットホームで使用するには感電に対する安全が課題となる。【０００８】  以上に述べた従来の例えば、特許文献２では、発明された遠隔操作用ハンド１０の外桿部材１１と、中桿部材１６はＦＲＰ製が採用されている。第１及び第２ハンド部材１７、１８は、略円弧状に湾曲部１７ａ，１８ｂと、その先端に設けられたブレード部１７ｂ、１８ｂ等がある。呼び名と形状から金属を採用されていると推定されます。遠隔操作用ハンド１０のレバー１３を長手方向にスライドさせると、ワイヤ２９を介して浮動滑車２６が長手方向末端へ移動し、第１及び第２連結板２７，２８を介して第１及び第２操作軸２１，２２が末端方向に引っ張られる。遠隔操作用ハンドは、長く伸ばすことは重くて先端の焦点は取り難く操作し難い。電気ショックがあると先端から当該ワイヤ２９を介して手元のレバー１３まで伝わる。絶縁物であっても高圧電流は落雷のように飛び散ります。
鉄道線路の帰線の状態が良好であるプラットホームで使用できても、ブレード部１７ｂ、１８ｂ等の先端の金属類が第３軌条公式の電線に接触することや、万一のとき高電圧、大電流の流れる新幹線プラットホームで使用するには感電に対する安全が課題となる。【０００９】  以上に述べた従来の例えば、特許文献３では、発明された遠隔操作棒は、特許文献１と、基本的に同じのようです。特許文献１は、外側板バネ２５はゴム製のカバー３１で覆うように変更されています。先端側外パイプ部材７、基端側外パイプ部材６、先端側内パイプ部材８、基端側内パイ部材９、ハンドル１３、レバー１５等はＦＲＰ，グラクファイバー等の絶縁性材料からなっている。また、挟み部２の大部分は金属類である。
特許文献１に近い構造であるので、鉄道線路の帰線の状態が良好であるプラットホームでは使用できても、先端の第１、第２板バネ３５，３６等の金属が第３軌条方式の電線に接触することや、万一のとき高電圧、大電流の流れる新幹線プラットホームで使用するには感電に対する安全が課題となる。
鉄道線路の帰腺に偶然に異常が生じると操作されている駅員の安全は守れない。心臓へ５０ｍｍＡ以上流れることになると感電は怪我では済まないことになる。【００１０】  新幹線プラットホームで安全に使用する遠隔操作棒類は、新幹線の送電線と、鉄道線路間に万一回路が構成されても漏洩電流が大きく流れないことが必要である。操作される駅員の安全を確実に確保して、挟む・掴む・引っ掛ける等を行なう先端部の先は、ゴムの覆いをするだけでなく、先端部は、高耐圧性を有した電気を通さない物質で、強度があり、軽く、合成樹脂等で成形加工して安全を守りたい。挟む・掴む・引っ掛ける等を行なう先端を金属類で構成され、操作棒と操作部に繊維強化ブラスチック（Ｆｉｂｅｒ  Ｒｅｉｎｆｏｒｃｅｄ  Ｐｌａｓｔｉｃｓ以下  ＦＲＰと称する）等が操作棒だけに使用されている用具はある。先端から把握部までをＦＲＰで成形加工して内部も先端から金属線材を把握部まで張りめぐらすことのない感電に対して安全な用具を提供したい。
【課題を解決するための手段】
【００１１】  操作される駅員の安全を確実に確保して、挟む・掴む・引っ掛ける等が遠隔操作できて、第３軌条方式や新幹線プラットホームで安全に使用できる高耐圧用ハンド操作棒であって、当該高耐圧用ハンド操作棒１００は、先端に、物体を挟む・掴む・引っ掛けられやすく湾曲して傾斜した爪６３を左右に設けた。長尺な操作棒８０を間に設けて、終端のグリップで物体を挟む・掴む左右の爪６３の間隔を調整するレバー保持部９０を設けた。
長尺で内部が中空の操作棒８０の先端に固着した先端部６０の挟み部６１の左右の爪６３を保持する爪保持部６２を設けた。
爪保持部６２は下蓋６２ａと、上蓋６２ｂに２分割され、上蓋６２ｂと、下蓋６２ａが上と下から嵌合するように設けた。上蓋６２ｂと、下蓋６２ａとに操作棒８０と嵌合する操作棒端固着部６９を設けた。
下蓋６２ａに左右に設けてある爪６３の支点６４を嵌めるピン６５と、コイルバネ止め６７と、中心を爪ＦＲＰ接続部品７１の溝６８を設けた。上蓋６２ｂに下蓋６２ａと嵌合して対応できるようにピン６５の受止部と、コイルバネ止め６７と、中心を爪ＦＲＰ接続部品７１の溝６８を設けた。
左右の爪６３の根元７５と、コイルバネ６６とを貫通させた爪ＦＲＰ接続部品７１に設けた角穴７３に挿入して、当該コイルバネ６６を貫通させた爪ＦＲＰ接続部品７１を下蓋６２ａの溝６８に入れ、貫通しているコイルバネ６６の先端を左右の爪６３の根元７５につけてコイルバネ６６の後端をコイルバネ止め６７に止めて、左右の爪６３の支点６４をピン６５に嵌めて設けた。
左右の爪６３の根元７５を角穴７３に挿入した爪ＦＲＰ接続部品７１の一方は内部可動部角棒７０と接続固定して、内部可動部角棒７０の一方はグリップＦＲＰ接続部品７２と接続固定して遠隔操作部７４として設けた。
下蓋６２ａに遠隔操作部７４の先端の爪ＦＲＰ接続部品７１に左右の爪６３の根元７５と、コイルバネ６６とを装着した遠隔操作部７４を内部が中空な操作棒８０を貫通させて操作棒固着部６９に操作棒８０の先端を固着して、上蓋６２ｂを下蓋６２ａに嵌合させ固着して爪保持部６２を設けた。当該遠隔操作部７４は内部が中空な操作棒８０を通過した遠隔操作部７４のグリップＦＲＰ接続部品７２の終端はレバー接続部９５と回動自在となるように接続して設けた。
レバー接続部９５と支点９３とを設けたレバー部９０は、レバー保持部９１に設けたレバー支点９２と支点９３とを合せて軸９４を貫通させて回動自在となるように接続して設けた。
操作棒８０の終端にレバー保持部９１を固着して設けた構成である。【００１２】  また、第２の解決手段は、請求項１の高耐圧用ハンド操作棒であって、当該高耐圧用ハンド操作棒１００は、先端部６０の左右の爪６３と、爪保持部６２の下蓋６２ａと、上蓋６２ｂと、内部可動部角棒７０と、操作棒８０と、レバー部９０と、レバー保持部９１等をＦＲＢで成形加工をした構成である。
【考案の効果】
【００１３】  操作される駅員の安全を確実に確保して、挟む・掴む・引っ掛ける等が遠隔操作できて、第３軌条方式や新幹線プラットホームで安全に使用できる高耐圧用ハンド操作棒であって、当該高耐圧用ハンド操作棒は、先端に、物体を挟む・掴む・引っ掛けられやすく湾曲して傾斜した爪を左右に設けた。長尺な操作棒を設けて、終端のグリップで物体を挟む・掴む左右の爪の間隔を調整するレバー保持部を設けた。
長尺で内部が中空の操作棒の先端に固着した先端部の挟み部の左右の爪を保持する爪保持部を設けた。爪保持部は下蓋と、上蓋に２分割され、上蓋と、下蓋が上と下から嵌合するように設けた。上蓋と、下蓋とに操作棒と嵌合する操作棒端固着部を設けた。
下蓋に左右に設けてある爪の支点を嵌めるピンと、コイルバネ止めと、中心を爪ＦＲＰ接続部品の溝を設けた。上蓋に下蓋と嵌合して対応できるようにピンの受止部と、コイルバネ止めと、中心を爪ＦＲＰ接続部品の溝を設けた。
左右の爪の根元と、コイルバネとを貫通させた爪ＦＲＰ接続部品に設けた角穴に挿入して、当該コイルバネを貫通させた爪ＦＲＰ接続部品を下蓋の溝に入れ、貫通しているコイルバネの先端を左右の爪の根元につけてコイルバネの後端をコイルバネ止めに止めて、左右の爪の支点をピンに嵌めて設けた。
左右の爪の根元を角穴に挿入した爪ＦＲＰ接続部品の一方は内部可動部角棒と接続固定して、内部可動部角棒の一方はグリップＦＲＰ接続部品と接続固定して遠隔操作部として設けた。
下蓋ａに遠隔操作部の先端の爪ＦＲＰ接続部品に左右の爪の根元と、コイルバネとを装着した遠隔操作部を内部が中空な操作棒を貫通させて操作棒固着部に操作棒の先端を固着して、上蓋を下蓋に嵌合させ固着して爪保持部を設けた。当該遠隔操作部は内部が中空な操作棒を通過した遠隔操作部のグリップＦＲＰ接続部品の終端はレバー接続部と回動自在となるように接続して設けた。
レバー接続部と支点とを設けたレバー部は、レバー保持部に設けたレバー支点と支点とを合せて軸を貫通させて回動自在となるように接続して設けたので、高耐圧用ハンド操作棒の構成がシンプルであるので、部品点数も少なく、故障も無い。
製造工数も削減できた。部品ごとに材質を変更して、軽く、強く、絶縁性の優れた個々の部品を高耐圧試験で材料の選択と吟味に有効であった。
操作棒の長さを２，５ｍ以上とすると挟む物体の焦点が定まらず難儀な思いをしているので操作棒の長さ調整は行わない単純な用具とした。列車の通過しない時間を見て、短時間の作業であるので、挟み、拾いの作業はテキパキと駅員が処理できるように爪に角度を設けて、狙い定めるに良く、軽く、レバーに遊びのない用具に仕上げたので挟む、掴む、作業が把握部で手に取るように繊細にわかる。
駅構内で使用するには鉄道内規があり従って使用する。鉄道構内以外で、人が使用するときは、長尺物であるので使用される場所での法律、規定等に配慮が必要となる。【００１４】  また、第２の解決手段は、請求項１の高耐圧用ハンド操作棒であって、当該高耐圧用ハンド操作棒は、先端部の左右の爪と、爪保持部の下蓋と、上蓋と、内部可動部角棒と、操作棒と、レバー部と、レバー保持部等をＦＲＢで成形加工をした構成であるので、高耐圧用ハンド操作棒の感電に対する安全確認を行なった。それは、漏洩電流試験である。
操作棒と、内部可動部角棒は任意の場所３００ｍｍの範囲の耐電圧試験ＡＣ７５ＫＶで、連続５分の漏洩電流試験を行い合格致した。絶縁抵抗試験２０００ＭΩ以上で両者ともに問題なし。新幹線で安全に使用できる。
【図面の簡単な説明】
【００１５】
【図１】本考案の実施の形態の高耐圧用ハンド操作棒の正面図を示す。
【図２】図１の爪の閉じた状態の平面図を示す。
【図３】図１の爪保持部の部品平面図を示す。
【図４】図１の爪保持部の上蓋を外した部品配置の平面図を示す。
【図５】図１の爪保持部の操作棒を外した底面斜視図を示す。
【図６】図１の爪保持部の操作棒を嵌めた平面斜視図を示す。
【図７】図１のレバー部とレバー保持部の部品の斜視図を示す。
【図８】図１のレバー部周辺の一部を切り欠いだ斜視図を示す。
【図９】図１の遠隔操作部の一部を切り欠き短縮した斜視図を示す。
【図１０】図１の爪とコイルバネと遠隔操作部とレバーとで操作系の正面図を示す。
【考案を実施するための形態】
【００１６】    以下、本考案の実施形態を図１〜図１０に基づいて説明する。
【実施例】
【００１７】  ［図１］本考案の実施の形態の高耐圧用ハンド操作棒の正面図を示す。
操作される駅員の安全を確実に確保して、挟む・掴む・引っ掛ける等が遠隔操作できて、第３軌条方式や新幹線プラットホームで安全に使用できる伸張しない固定型の操作棒を有した高耐圧用ハンド操作棒であって、当該高耐圧用ハンド操作棒１００は、物体を挟む・掴む・引っ掛けるように湾曲して傾斜した爪６３を左右に設けた。長尺な操作棒８０を左右の爪６３と、終端との間に設けて、終端のグリップ操作で先端の物体を挟む・掴む左右の爪６３の間隔を調整するレバー保持部９０を設けた。
物体を挟む・掴む・引っ掛けるとき爪６３を開くには、操作棒８０の後端のレバー部９０を放せば爪６３は全開する。爪６３を閉めるには、レバー部９０を操作棒８０に近づける。それは、絞ることを意味して爪６３の絞りは、レバー部９０を絞る寸法に比例して左右の爪６３は合わさります。操作棒８０と、爪６３との寸法は全長２．５ｍ程度の固定型です。寸法は各種設けてよい。操作棒８０を伸張する方式は取らない。
操作は片手で操作棒８０の終端と、レバー部９０を把握して、グリップで操作する。
もう片方の手で操作棒８０の方向や物体との焦点の取りやすい箇所を握り物体に近かづける。挟む・掴む・引っ掛ける等の遠隔操作が行なえる。【００１８】  ［図２］図１の爪の閉じた状態の平面図を示す。
高耐圧用ハンド操作棒１００の挟む・掴む状態、爪６３を閉じた状態の平面図です。
遠隔操作の竿の役をする操作棒８０を設けた。内部が中空な操作棒８０の先端に固着した先端部６０の挟み部６１の左右の爪６３を保持する爪保持部６２を設けた。爪保持部６２は下蓋６２ａと上蓋６２ｂに２分割され、上蓋６２ｂと下蓋６２ａが上と下から嵌合するように設けた。図に記載していないが、左右の爪６３は爪の先に必要ならばゴムの袋を覆ってもよい。ゴムの袋の必要ないときは外して使用する。操作棒８０の終端にレバー支点９２を有したレバー保持部９１を固着して設けた。レバー支点９２を設けたレバー保持部９１は、レバー支点９２とレバー部９０の支点９３を軸９４で合わせて設けた構成である。軸９４で合わせた支点は回動自在となる。【００１９】  ［図３］図１の爪保持部の部品の平面図を示す。
６３の符号は、左右の爪です。
物体を挟む・掴む・引っ掛けるように湾曲して傾斜した爪６３を左右に設けた。左右の爪６３にピン６５に嵌める支点６４と、角穴７３に挿入する根元７５を設けた。
６２ｂの符号は、上蓋で、６２ａの符号は、下蓋です。
左右の爪６３を保持して動きの支点となる爪保持部６２は下蓋６２ａと上蓋６２ｂに２分割され、上蓋６２ｂと下蓋６２ａが上と下から嵌合するように設けてある。上蓋６２ｂと蓋６２ａに操作棒８０と嵌合する操作棒端固着部６９を設けた。
下蓋６２ａに左右に設けてある爪６３の支点６４を嵌めるピン６５と、コイルバネ止め６７と、中心に爪ＦＲＰ接続部品７１の溝６８が設けた。上蓋６２ｂに下蓋６２ａと嵌合して対応できるようにピン６５の受止部と、コイルバネ止め６７と、中心を爪ＦＲＰ接続部品７１の溝６８を設けた。上蓋６２ｂと下蓋６２ａは操作棒８０の先端と嵌合する先端嵌合部６９を設けた。
６６の符号は、コイルバネです。
８０の符号は、操作棒です。遠隔操作の竿の役をする内部は中空な操作棒８０を設けた。
操作棒８０の一方は省略した。
７４の符号は、遠隔操作部です。図では内部可動部角棒７０の一方は省略した
左右の爪６３の根元７５を角穴７３に挿入した爪ＦＲＰ接続部品７１の一方は内部可動部角棒７０と接続して、内部可動部角棒７０の一方はグリップＦＲＰ接続部品７２と接続して遠隔操作部７４として設けた。【００２０】  ［図４］図１の爪保持部の上蓋を外した部品配置の平面図を示す。
爪保持部６２は下蓋６２ａと上蓋６２ｂに２分割され、上蓋６２ｂと下蓋６２ａが上と下から嵌合するように設けた。上蓋６２ｂと蓋６２ａに操作棒８０と嵌合する操作棒端固着部６９を設けた。
下蓋６２ａに左右に設けてある爪６３の支点６４を嵌めるピン６５と、コイルバネ止め６７と、中心を爪ＦＲＰ接続部品７１の溝６８が設けた。上蓋６２ｂは上記記載の通りでる。
左右の爪６３の根元７５を、コイルバネ６６を貫通させた爪ＦＲＰ接続部品７１に設けた角穴７３に挿入して、当該コイルバネ６６を貫通させた爪ＦＲＰ接続部品７１を下蓋６２ａの溝６８に入れ、貫通しているコイルバネ６６の先端を左右の爪６３の根元７５につけてコイルバネ６６の後端をコイルバネ止め６７に止めて、左右の爪６３の支点６４をピン６５に嵌めて設けた。【００２１】  ［図５］図１の爪保持部の操作棒を外した底面斜視図を示す。
左右の爪６３が開いた状態を示す。爪保持部６２の下蓋６２ａの操作棒８０を外した底面斜視図であって、下蓋６２ａに左右に設けてある爪６３の支点６４を嵌めるピン６５と、コイルバネ止め６７と、中心を爪ＦＲＰ接続部品７１の溝６８が設けた。内部が中空な操作棒８０を外してあるので、上蓋６２ｂと下蓋６２ａの内部中心に設けた爪ＦＲＰ接続部品７１の一部が露出している。【００２２】  ［図６］図１の爪保持部の操作棒を嵌めた平面斜視図を示す。
左右の爪６３が開いた状態を示す。爪保持部６２は下蓋６２ａと上蓋６２ｂに２分割され、上蓋６２ｂと下蓋６２ａが上と下から嵌合するように設け上蓋６２ｂ側からの平面斜視図であって、上蓋６２ｂと下蓋６２ａは内部が中空な操作棒８０の先端と嵌合する先端嵌合部６９に固着して設けた。爪ＦＲＰ接続部品７１は、内部が中空な操作棒８０を貫通している。
上蓋６２ｂと下蓋６２ａが上と下から嵌合した爪保持部６２の左右の爪６３は物体を挟む・掴む・引っ掛けるように湾曲して傾斜して設けてある。【００２３】  ［図７］図１のレバー部とレバー保持部の部品の斜視図を示す。
操作棒８０の終端に固着して設けるレバー支点９２を有したレバー保持部９１は、レバー支点９２とレバー部９０の支点９３を軸９４で合わせて設けた。レバー部９０はグリップＦＲＰ接続部品７２と接続するレバー接続部９５を設けた。軸９４の図は省略した。
軸９４で合わせた支点９２、９３は回動自在である。【００２４】  ［図８］図１のレバー部周辺の一部を切り欠いだ斜視図を示す。
終端のレバー部９０周辺の内部が中空な操作棒８０を切り欠いだ斜視図を示す。
爪保持部６２の左右の爪６３が開いていることを確かめ内部が中空な操作棒８０を貫通した遠隔操作部７３の終端にあるグリップＦＲＰ接続部品７２はレバー部９０のレバー接続部９５と接続して設ける。レバー部９０を絞るとグリップＦＲＰ接続部品７２と接続したレバー接続部９５は支点９２、９３を支点としてグリップＦＲＰ接続部品７２が引っ張られて遠隔操作部７４が引っ張られ先端の左右の爪６３が閉じる作用をする。
操作棒８０の終端に固着して設けたレバー支点９２を有したレバー保持部９１は、レバー支点９２とレバー部９０の支点９３を軸９４で合わせて設けた。軸９４の図は省略した。【００２５】  ［図９］図１の遠隔操作部の一部を切り欠き短縮した斜視図を示す。
左右の爪６３の根元７５を角穴７３に挿入した爪ＦＲＰ接続部品７１の一方は内部可動部角棒７０と接続して、内部可動部角棒７０の一方はグリップＦＲＰ接続部品７２と接続して遠隔操作部７４として設けた。
一番長尺な内部が中空な操作棒８０を貫通している内部可動部角棒７０は、操作棒８０の次に長尺である。【００２６】  ［図１０］図１の爪とコイルバネと遠隔操作部とレバーとで操作系の正面図を示す。
図１から爪保持部６２は下蓋６２ａと上蓋６２ｂと、内部が中空な操作棒８０と、操作棒８０の終端に固着して設けたレバー支点９２を有したレバー保持部９１を取り外して、爪６３とコイルバネ６６と、遠隔操作部７４は角穴７３を有した爪ＦＲＰ接続部品７１と、爪ＦＲＰ接続部品７１と接続した内部可動部角棒７０と、内部可動部角棒７０と接続したグリップＦＲＰ接続部品７２と、グリップＦＲＰ接続部品７２と接続したレバー接続部９５とレバー部９０で操作系の正面図を示示した。【００２７】  上記記載の請求項１の高耐圧用ハンド操作棒であって、当該高耐圧用ハンド操作棒１００は、先端部６０の左右の爪６３と、爪保持部６２の下蓋６２ａと、上蓋６２ｂと、内部可動部角棒７０と、操作棒８０と、レバー部９０と、レバー保持部９１等をＦＲＢで成形加工をした。高耐圧用ハンド操作棒１００は、長尺なのは操作棒８０であって、次に内部可動部角棒７０は長尺である。物体を挟む・掴む・引っ掛ける左右の爪６３から把握する操作棒８０の終端レバー部９０まで外部周辺はすべてＦＲＢの成形加工から成る。【００２８】  マジックハンド操作棒（試作品）試験成績表を表１に示す（マジックハンド操作棒は、最初に断わったように高耐圧用ハンド操作棒と称する。）。【００２９】  表１から、本考案に係わる高耐圧用ハンド操作棒の内部可動部角棒７０と、操作棒８０の高電圧耐圧対策は、絶縁抵抗試験２０００ＭΩ以上と、漏洩電流（μＡ）任意の場所３００ｍｍおける交流７５００Ｖ／５分の耐電圧試験の漏洩電流は数十μＡ程度で問題点とした高電圧対策は全て解決したことを意味する。【００３０】
【表１】
0003162403.tif 000003
【産業上の利用可能性】
【００３１】  新幹線等のプラットホームで駅員が遠隔操作にて線路に落ちた物体を挟む・掴む・引っ掛けるため使用される。新幹線等のプラットホームで感電事故に気を使うことなく使用できる。他の鉄道線路のプラットホームで感電することなく使用できる（特に鉄道関係は鉄道内規に従ったご使用となる。）鉄道構外であれば、駅員でなくても安全に使用できるが長尺であるので注意が必要である。鉄道関係の業界で使用され、鉄道関係の物品を供給する業界で製造される。
【符号の説明】
【００３２】  ６０  先端部
６２  爪保持部
６２ａ下蓋
６２ａ上蓋
６３  爪
６４  支点
６５  ピン
６６  コイルバネ
６７  コイルバネ止め
６８  溝
６９  操作棒端固着部
７０  内部可動部角棒
７１  爪ＦＲＰ接続部品
７２  グリップＦＲＰ接続部品
７３  角穴
７４  遠隔操作部
７５  根元
８０  操作棒
９０  レバー部
９１  レバー保持部
９２  レバー支点
９３  支点
９４  軸
９５  レバー接続部
１００  高耐圧用ハンド操作棒
【図１】
0003162403.tif 000004
【図２】
0003162403.tif 000005
【図３】
0003162403.tif 000006
【図４】
0003162403.tif 000007
【図５】
0003162403.tif 000008
【図６】
0003162403.tif 000009
【図７】
0003162403.tif 000010
【図８】
0003162403.tif 000011
【図９】
0003162403.tif 000012
【図１０】
0003162403.tif 000013